(57)【特許請求の範囲】
【請求項１】
生ゴミを収納する生ゴミ収納部と、生ゴミを加熱するための加熱手段と、生ゴミに温風を送る送風手段と、前記送風手段を覆い開口部を設けた蓋体と、前記蓋体開口部の生ゴミによる閉塞を解除する閉塞解除手段を有し、前記蓋体内の温度を検知する温度検知手段を設け、生ゴミが前記蓋体の開口部を閉塞したときに、厨芥処理時の前記蓋体内の温度が上昇し、一定時間ｔ１以内に、終了判定温度Ｔ３に対して、Ｔ２＜Ｔ３の関係を有する一定温度Ｔ２に達したときに、生ゴミによる蓋体開口部の閉塞状態を表示する機能を有する厨芥処理機。
【発明の詳細な説明】
【０００１】
【発明の属する技術分野】
本発明は生ゴミ等の厨芥を乾燥させ減量処理する厨芥処理機に関するものである。
【０００２】
【従来の技術】
従来のこの種の厨芥処理機を図９、図１０を用いて説明する。１は本体２に固着され乾燥減量したい生ゴミを収納する生ゴミ収納部である。生ゴミ収納部１内には、生ゴミの粉砕、撹拌手段として、回転自在に水平配置された回転手段４が具備されており、羽根固定軸５を介して複数個の撹拌羽根６が設けられている。撹拌羽根６は偏平で隣の羽根と水平方向に若干のオーバーラップをしながら生ゴミ収納部１の内周壁面にこすれる程度に近接して設けられていて、前記回転手段４は本体２の下部に固着した駆動モータ７とチェーン８によって駆動される。
【０００３】
生ゴミ収納部１の上部には、熱風発生手段としてヒータ１０と、前記ヒータ１０の熱を生ゴミ収納部１内に送り込むための送風手段である送風ファン１１が設けられ、送風ファン１１外周に、下方に前記送風ファン１１によって生じる送風通路用の開口部２５を有する蓋体１２を配している。また、前記蓋体１２内には、生ゴミ収納部１内の温度を検知する温度検知手段９が設けられている。送風ファン１１はファンモータ２０と連結しており、ファンモータ２０によって回転する。３は前記蓋体送１２内の温度を検知する温度検知手段９の検知温度に基づき本体を制御する制御手段である。
【０００４】
生ゴミから発生した臭気を脱臭する触媒脱臭装置１３は、排気ダクト中１４によって排出装置１５と連結されていて、前記排出装置１５内には生ゴミ収納部１内の蒸気を外部に排出するための排出ファン１６が設けられている。排出ファン１６は排出モータ２１と連結しており、排出モータ２１によって排出ファン１６が回転することで、生ゴミ収納部１内の蒸気を矢印ａのように触媒脱臭装置１３内に吸い込み、さらに排気ダクト中１４、排気ダクト外１７を通って本体外に排出される。１８は生ゴミ収納部１の前方上部に設けた生ゴミ投入口１９を開閉する投入口扉である。
【０００５】
以上のように構成された厨芥処理機について、その動作を説明する。投入口１９から生ゴミ収納部１内に投入された生ゴミは、撹拌羽根６によって掻き上げられながら上部のヒータ１０と送風ファン１１等が、温度検知手段９の検知する検知温度をもとに制御手段３と連動動作することで、上記生ゴミを満遍なく加熱乾燥していく。
【０００６】
【発明が解決しようとする課題】
しかしながら、上記従来の構成では、生ゴミ収納部１内に特に多く生ゴミが投入されたとき、撹拌された軽い生ゴミが蓋体１２の表面に乾燥固着しやすく、そのため前記蓋体１２の開口部２５が閉塞され、生ゴミを乾燥させるための送風ファン１１からの風量が減り乾燥時間が延びるという問題や、生ゴミが乾燥する前に温度検知手段９の検知温度が上昇してしまい、生ゴミが乾燥する前に乾燥処理運転を停止し、生ゴミが乾燥しないという問題が生じることがあり、乾燥性能をより一層向上するためには前記蓋体１２に乾燥固着した生ゴミを除去する必要があった。
【０００７】
【課題を解決するための手段】
本発明は、上記課題を解決するために、生ゴミを収納する生ゴミ収納部と、生ゴミを加熱するための加熱手段と、生ゴミに温風を送る送風手段と、前記送風手段を覆い開口部を設けた蓋体と、前記蓋体開口部の生ゴミによる閉塞を解除する閉塞解除手段を有し、前記蓋体内の温度を検知する温度検知手段を設け、生ゴミが前記蓋体の開口部を閉塞したときに、厨芥処理時の前記蓋体内の温度が上昇し、一定時間ｔ１以内に、終了判定温度Ｔ３に対して、Ｔ２＜Ｔ３の関係を有する一定温度Ｔ２に達したときに、生ゴミによる蓋体開口部の閉塞状態を表示する機能を有するものである。
【０００８】
上記発明によれば、厨芥処理時の前記蓋体内の温度上昇状況により、蓋体の表面に固着し送風通路用の開口部を閉塞する乾燥ゴミの閉塞状態を機器使用者に知らせ、異常が発生する前に、蓋体の表面に固着し送風通路用の開口部を閉塞する乾燥ゴミを容易に除去できるもので、厨芥処理性能をより一層向上させた厨芥処理機を提供することができる。
【０００９】
【発明の実施の形態】
本発明の請求項１記載の発明は、生ゴミを収納する生ゴミ収納部と生ゴミを加熱するための加熱手段と、生ゴミに温風を送る送風手段と、前記送風手段を覆い開口部を設けた蓋体と、前記蓋体開口部の生ゴミによる閉塞を解除する閉塞解除手段を有し、前記蓋体内の温度を検知する温度検知手段を設け、生ゴミが前記蓋体の開口部を閉塞したときに、厨芥処理時の前記蓋体内の温度が上昇し、一定時間ｔ１以内に、終了判定温度Ｔ３に対して、Ｔ２＜Ｔ３の関係を有する一定温度Ｔ２に達したときに、生ゴミによる蓋体開口部の閉塞状態を表示する機能を有するもので、厨芥処理時の前記蓋体内の温度上昇状況により、蓋体の表面に固着し送風通路用の開口部を閉塞する乾燥ゴミの閉塞状態を機器使用者に知らせ、異常が発生する前に確認して固着した乾燥ゴミを除去できるものである。
【００１０】
【実施例】
（実施例１）
以下、第１の実施例について図１を用いて説明する。なお上記従来例と同一構成部品については同一符号を付して、その説明を省略する。
【００１１】
図１の構成は、熱風手段としてヒータ１０と、前記ヒータ１０の熱を生ゴミに送り込むための送風手段である送風ファン１１が設けられ、ファンモータ２０と連結されている。前記ヒータ１０と送風ファン１１の外周には、下方に前記送風ファン１１によって生じる送風通路用の開口部２５を有する蓋体１２を配している。２６は閉塞解除手段で、前記蓋体１２の下面に接するように設けた前記生ゴミ除去部２７ａの中央には回転軸２８を有し、前記回転軸２８は前記蓋体１２の下面中央に取りつけられていて、回転軸２８を中心に回転するよう構成されている。
【００１２】
次に、動作、作用について説明すると、特に多くの生ゴミが投入されたとき、撹拌された軽い生ゴミが蓋体１２の表面に乾燥固着しやすく、そのため前記蓋体１２の開口部２５が閉塞される。そのとき、生ゴミ除去部２７ａは、蓋体１２の下面に接するように設けられているため、閉塞解除手段２６ａの把手２９ａを持って左右に前記閉塞解除手段２６を回転させることで、蓋体１２の表面に乾燥固着したゴミを除去することができる。
【００１３】
（実施例２）
以下、第２の実施例について図２を用いて説明する。なお上記従来例と同一構成部品については同一符号を付して、その説明を省略する。
【００１４】
２６は閉塞解除手段で、蓋体１２の下面に接するように設けた四角枠状の生ゴミ除去部２７ｂから構成され、前記蓋体１２の両端には前記生ゴミ除去部２７ｂを挿入するための挿入枠部３４が設けられているて、前記蓋体１２が前記挿入枠部３４内をスライド移動するよう構成されている。
【００１５】
次に、動作、作用について説明すると、特に多くの生ゴミが投入されたとき、撹拌された軽い生ゴミが蓋体１２の表面に乾燥固着しやすく、そのため前記蓋体１２の開口部２５が閉塞される。そのとき、生ゴミ除去部２７ｂは、蓋体１２の下面に接するように設けられているため、閉塞解除手段２６の把手２９ｂを持って左右に前記閉塞解除手段２６をスライド移動させることで、蓋体１２の表面に乾燥固着したゴミを除去することができる。
【００１６】
（実施例３）
以下、第３の実施例について図３を用いて説明する。なお上記実施例と同一構成部品については同一符号を付して、その説明を省略する。
【００１７】
閉塞解除手段２６の把手２９ｂの後部には、ばね３５が取りつけられており、１８は投入扉である。
【００１８】
次に、動作、作用について説明すると、特に多くの生ゴミが投入されたとき、撹拌された軽い生ゴミが蓋体１２の表面に乾燥固着しやすく、そのため前記蓋体１２の開口部２５が閉塞されるが、投入扉１８が閉じると、閉塞解除手段２６ｂは投入扉１８に押されて移動しばね３５が圧縮され、また、投入扉１８が開くと、ばね３５が前記閉塞解除手段２６を押す。いわゆる前記閉塞解除手段２６を左右にスライド移動させることで、蓋体１２の表面に乾燥固着ゴミを除去することができる。
【００１９】
（実施例４）
以下、第４の実施例について図４を用いて説明する。なお上記実施例と同一構成部品については同一符号を付して、その説明を省略する。
【００２０】
２６は閉塞解除手段で、蓋体１２の下面に接するように設けた四角枠状の生ゴミ除去部２７ｃから構成され、前記生ゴミ除去部２７ｃの後部にはばね３５が取りつけられている。また、３０は閉塞解除手段２６を作動させる電動機３０で、回転軸３１およびカム３２ａを介して、電動機３０が作動すると閉塞解除手段２６ｃが動作するよう構成してある。前記蓋体１２の両端には前記生ゴミ除去部２７ｃを挿入するための挿入枠部３４が設けられていて、前記蓋体１２が前記挿入枠部３４内をスライド移動するよう構成されている。また、前記電動機３０は制御手段３と連動動作する。
【００２１】
次に、動作、作用について説明すると、特に多くの生ゴミが投入されたとき、撹拌された軽い生ゴミが蓋体１２の表面に乾燥固着しやすく、そのため前記蓋体１２の開口部２５が閉塞される。そのとき、生ゴミ除去部２７ｃは、蓋体１２の下面に接するように設けられているため、前記電動機３０が作動すると回転軸３１が回転する。また、カム３２ａは略楕円形状をしていることで、前記カム３２ａの回転に合わせて、前記閉塞解除手段２６は左右にスライド移動することで、蓋体１２の表面に乾燥固着したゴミを除去することができる。そして、電動機３０を、制御手段３と連動動作させ、厨芥処理開始時または処理終了時等に上記ゴミ除去動作を実施できる。
【００２２】
（実施例５）
以下、第５の実施例について図５を用いて説明する。なお実施例と同一構成部品については同一符号を付して、その説明を省略する。
【００２３】
２６は閉塞解除手段で、蓋体１２の下面に接するように設けた十字型と外周に円枠を設けた生ゴミ除去部２７ｄから構成されている。また、３０は閉塞解除手段２６ｄを作動させる電動機３０で、回転軸３１およびカム３２ｂを介して、電動機３０が作動すると閉塞解除手段２６が回転動作するよう構成してある。また、前記電動機３０は制御手段３と連動動作する。
【００２４】
次に、動作、作用について説明すると、特に多くの生ゴミが投入されたとき、撹拌された軽い生ゴミが蓋体１２の表面に乾燥固着しやすく、そのため前記蓋体１２の開口部２５が閉塞される。そのとき、生ゴミ除去部２７ｄは、蓋体１２の下面に接するように設けられているため、前記電動機３０が作動すると回転軸３１が回転する。また、カム３２ｂは円形状をしていることで、前記カム３２ｂの回転に合わせて、前記閉塞解除手段２６も回転運動することで、蓋体１２の表面に乾燥固着したゴミを除去することができる。そして、電動機３０を、制御手段３と連動動作させ、厨芥処理開始時または処理終了時等に上記ゴミ除去動作を実施できる。
【００２５】
（実施例６）
以下、第６の実施例について図６、図７を用いて説明する。なお、上記実施例と同一構成部品については同一符号を付して、その説明を省略する。
【００２６】
蓋体１２内に、生ゴミ収納部１内の温度を検知する温度検知手段９を設け、蓋体１２内部の検知温度により、制御部３と連動して、温度検知手段がある一定時間内に一定温度に達したときに、閉塞解除手段２６を動作させるものである。
【００２７】
次に、動作、作用について説明すると、通常運転時、温度検知手段９の検知温度はＴ１でほぼ一定であるが、特に多くの生ゴミが投入されたとき、撹拌された軽い生ゴミが蓋体１２の表面に乾燥固着しやすく、そのため前記蓋体１２の開口部２５が閉塞されることで検知温度は上昇し、乾燥終了判定温度であるＴ３へ達してしまう。
【００２８】
そこで、制御部３と連動して、温度検知手段９がある一定時間内ｔ１以内に一定温度Ｔ２（Ｔ２＜Ｔ３）に達したときに、閉塞解除手段２６を動作させるものである。閉塞解除手段２６が動作することで、蓋体１２の表面に乾燥固着したゴミを除去することができ、蓋体１２内部の温度を検知する温度検知手段９の検知温度も、通常のＴ１に戻り、生ゴミを乾燥させるための送風ファン１１からの風量が減り乾燥時間がのびるという問題や、生ゴミが乾燥する前に温度検知手段９の検知温度が上昇してしまい、生ゴミが乾燥する前に乾燥処理運転を停止し、生ゴミが乾燥しないという問題が解消できる。
【００２９】
（実施例７）
以下、第７の実施例について図８を用いて説明する。なお、上記実施例と同一構成部品については同一符号を付して、その説明を省略する。
【００３０】
蓋体１２内部の温度を検知する温度検知手段９により、制御部３と連動して、温度検知手段がある一定時間内に一定温度に達したときに、機器本体に表示する表示装置３３を設けたものである。
【００３１】
次に、動作、作用について説明すると、通常、温度検知手段９のでほぼ一定するが、特に多くの生ゴミが投入されたとき、撹拌された軽い生ゴミが蓋体１２の表面に乾燥固着しやすく、そのため前記蓋体１２の開口部２５が閉塞され、検知温度は上昇し、終了判定温度であるＴ３へ達してしまう。そこで、制御部３と連動して、温度検知手段がある一定時間内ｔ１以内に一定温度Ｔ２（Ｔ２＜Ｔ３）に達したときに、機器本体の表示装置３３に制御部３と連動して、乾燥ゴミの閉塞状態を機器使用者に知らせるものである。
【００３２】
【発明の効果】
以上のように、請求項１記載の発明によれば、厨芥処理時の前記蓋体内の温度上昇状況により、蓋体の表面に固着し送風通路用の開口部を閉塞する乾燥ゴミの閉塞状態を機器使用者に知らせ、異常が発生する前に確認して固着した乾燥ゴミを除去できる。
【図面の簡単な説明】
【図１】  （ａ）本発明の第１の実施例を示す厨芥処理機の部分断面図
（ｂ）同厨芥処理機の蓋体の平面図
【図２】  （ａ）本発明の第２の実施例を示す厨芥処理機の部分断面図
（ｂ）同部分の平面図
【図３】  本発明の第３の実施例を示す厨芥処理機の部分断面図
【図４】  （ａ）本発明の第４の実施例を示す厨芥処理機の部分断面細図
（ｂ）同部分の平面図
【図５】  （ａ）本発明の第５の実施例を示す厨芥処理機の部分断面図
（ｂ）同部分の平面図
【図６】  本発明の第６の実施例を示す厨芥処理機の閉塞解除手段の動作フローチャート
【図７】  同厨芥処理機の蓋体内の温度変化図
【図８】  本発明の第７の実施例を示す厨芥処理機の斜視図
【図９】  従来の厨芥処理機を示す断面図
【図１０】  同厨芥処理機の側断面図
【符号の説明】
１  生ゴミ収納容器
９  温度検知手段
１０  ヒータ
１１  送風ファン
１２  蓋体
１８  投入口扉
１９  投入口
２５  開口部
２６  開閉解除手段
３０  開閉解除手段動作用電動機
３３  表示ランプ
【図１】
0004552251.tif 000002
【図２】
0004552251.tif 000003
【図３】
0004552251.tif 000004
【図４】
0004552251.tif 000005
【図５】
0004552251.tif 000006
【図６】
0004552251.tif 000007
【図７】
0004552251.tif 000008
【図８】
0004552251.tif 000009
【図９】
0004552251.tif 000010
【図１０】
0004552251.tif 000011